(57)【特許請求の範囲】
【請求項１】
映像、音声、テキストのいずれか少なくとも一つにより外国語の会話を訓練する外国語の会話訓練システムであって、
映像、音声、テキストのいずれか少なくとも一つによる練習テーマを含み講師のパートと学習者のパートとに分けて予め作成された外国語の訓練教材と、
該訓練教材を講師のパートと学習者のパートを繰り返すことで再生する再生手段と、
前記学習者のパートにおいて学習者の発した音声を電気信号に変換する音声変換手段と、
前記講師のパートでの案内に従い台詞としてのテキストの内の少なくとも一つの単語を入れ換えた文章、若しくは質問に対する答えとなる少なくとも一つの単語を含む文章を学習者に対し想起させ、前記学習者のパート中に該学習者により前記文章での音声を発生させ、該学習者の発した音声を前記音声変換手段を介して抽出する会話抽出手段と、
該会話抽出手段で抽出された前記学習者の音声を所定の基準の下に評価する評価手段と、
該評価手段による評価の結果を前記学習者に対して表示する評価表示手段とを備え、
前記単語が予め用意された質問毎に前記学習者により入力され固有情報保存部に保存された情報を含み、
前記訓練教材が前記質問に対応して予め用意され保存された文章を含む教材であり、
該教材の前記質問に対応する部分が前記学習者毎に保存された前記単語を含む形で前記学習者に対し提供され、
前記評価手段による評価は、前記学習者に対し提供された前記固有情報保存部に保存された情報を含む教材を正解のテキストとして、前記会話抽出手段で抽出された音声から変換されたテキストとの間で行われたテキスト同士の対比に基づき判断される、若しくは、前記正解のテキストを音声に変換し、前記会話抽出手段で抽出された音声との間で行われた音声同士の対比に基づき判断される学習者の話した文章の正誤、発音、抑揚、会話のスピード、これらの総合評価のいずれか少なくとも一つに基づくことを特徴とする外国語の会話訓練システム。
【請求項２】
映像、音声、テキストのいずれか少なくとも一つにより外国語の会話を訓練する外国語の会話訓練システムであって、
映像、音声、テキストのいずれか少なくとも一つによる練習テーマを含み講師のパートと学習者のパートとに分けて予め作成された外国語の訓練教材と、
該訓練教材を講師のパートと学習者のパートを繰り返すことで再生する再生手段と、
前記学習者のパートにおいて学習者の発した音声を電気信号に変換する音声変換手段と、
前記再生手段で再生された台詞の一部又はすべてをテキストとして表示する台詞テキスト表示手段と、
前記講師のパートでの案内に従い台詞としてのテキストの内の少なくとも一つの単語を入れ換えた文章、若しくは質問に対する答えとなる少なくとも一つの単語を含む文章を学習者に対し想起させ、前記学習者のパート中に該学習者により前記文章での音声を発生させ、該学習者の発した音声を前記音声変換手段を介して抽出する会話抽出手段と、
該会話抽出手段で抽出された前記学習者の音声を所定の基準の下に評価する評価手段と、
該評価手段による評価の結果を前記学習者に対して表示する評価表示手段とを備え、
前記単語が予め用意された質問毎に前記学習者により入力され固有情報保存部に保存された情報を含み、
前記訓練教材が前記質問に対応して予め用意され保存された文章を含む教材であり、
該教材の前記質問に対応する部分が前記学習者毎に保存された前記単語を含む形で前記学習者に対し提供され、
前記評価手段による評価は、前記学習者に対し提供された前記固有情報保存部に保存された情報を含む教材を正解のテキストとして、前記会話抽出手段で抽出された音声から変換されたテキストとの間で行われたテキスト同士の対比に基づき判断される、若しくは、前記正解のテキストを音声に変換し、前記会話抽出手段で抽出された音声との間で行われた音声同士の対比に基づき判断される学習者の話した文章の正誤、発音、抑揚、会話のスピード、これらの総合評価のいずれか少なくとも一つに基づくことを特徴とする外国語の会話訓練システム。
【請求項３】
前記評価表示手段は前記評価した結果をレーダーチャートで画面表示することを特徴とする請求項１又は請求項２記載の外国語の会話訓練システム。
【請求項４】
前記評価を練習テーマ毎に履歴として蓄積する蓄積手段と、
該蓄積手段で蓄積された練習テーマの内から評価を所定の基準の下に判断することで少なくとも一つの練習テーマを抽出する抽出手段と、
該抽出手段で抽出された練習テーマを表示する表示手段と、
該表示手段で表示された練習テーマの内から前記学習者が選択できることを特徴とする請求項１〜３のいずれか一項に記載の外国語の会話訓練システム。
【発明の詳細な説明】
【技術分野】
【０００１】
本発明は外国語の会話訓練システムに係わり、特に、外国語の会話力の習得において、学習者の対話内容、発音、抑揚、会話スピードなどの多角的な矯正および、会話における言語の運用能力の向上のための練習が母国語を介さずに効率よく行える外国語の会話訓練システムに関する。
【背景技術】
【０００２】
日本人は、一般的に英語を始めとする外国語の会話を決して得意とはしていない。その原因としては、義務教育から高等教育に至るまでの学校の授業において、主に読み書きに重点が置かれてきたことが否めない。また、長年の歴史による要因のみならず、言語学的に文章における語順の違いや、言葉の発声方法や発音の違い、文章で言葉を一語ずつはっきり発音する日本語と、例えば英語のように言語をつなげたり一部の音を省略して発音するといった言語慣習の違いなど、様々な要因があげられている。
【０００３】
そのような状況において、外国語の会話力を向上させるための方策としては、相手と正確に意思疎通を図るために正しい文法と単語を用いた文章でしゃべることができるようになる練習をすることである。更には出来るだけ正しい発音、抑揚、会話スピードでしゃべることができるようになる練習をすることである。
【０００４】
その練習を支援するためには、実際の対話場面を想定した映像教材を作成し、その教材の中で講師と学習者とが対話する必要がある。
【０００５】
この点、従来のオーディオテープやビデオテープ、光ディスクなどの録音、録画された会話教材では、それらの媒体に納められている定型の対話場面を見たり文章を聞いたりして、それをその通りリピート練習することしか出来なかった。
ここに最近は、情報通信技術（Information & Communication Technology（ＩＣＴ）)の発達に伴ない、学習システムが種々提案されている。例えば、特許文献１〜４では、様々な外国語教育や会話訓練、語学学習のシステムが開示されている。
【先行技術文献】
【特許文献】
【０００６】
【特許文献１】特開２００２−１８９４０３号公報
【特許文献２】特開平５−３４１７０５号公報
【特許文献３】特開２０１４−１４５９７６号公報
【特許文献４】特開２０１１−８５６４１号公報
【発明の概要】
【発明が解決しようとする課題】
【０００７】
しかしながら、上記の特許文献１〜４を含めて、従来の情報通信技術を利用した学習訓練システムでは、録音、録画された会話教材でそれらに納められている対話場面を視聴して、それをその通りにリピートしておこなう練習であったり、情報通信技術（ＩＣＴ)を駆使して発音のみのような狭い領域に絞った訓練システムであった。
【０００８】
このため、学習者がしゃべる内容について、文法、単語、発音、抑揚、会話スピードなどで問題のある部分や弱点をその場で指摘、矯正しながら練習することが出来なかった。
また、自分自身の情報（名前や生年月日、出身地、趣味など）を文章の中に組み入れてしゃべる練習をすることができず、実際に役立つ会話力を効率よく向上させることは非常に難しかった。
【０００９】
本発明はこのような従来の課題に鑑みてなされたもので、外国語の会話力の習得において、学習者の対話内容、発音、抑揚、会話スピードなどの多角的な矯正および、会話における言語の運用能力の向上のための練習が母国語を介さずに効率よく行える外国語の会話訓練システムを提供することを目的とする。
【課題を解決するための手段】
【００１０】
このため本発明（請求項１）は、映像、音声、テキストのいずれか少なくとも一つにより外国語の会話を訓練する外国語の会話訓練システムであって、映像、音声、テキストのいずれか少なくとも一つによる練習テーマを含み講師のパートと学習者のパートとに分けて予め作成された外国語の訓練教材と、該訓練教材を講師のパートと学習者のパートを繰り返すことで再生する再生手段と、前記学習者のパートにおいて学習者の発した音声を電気信号に変換する音声変換手段と、前記講師のパートでの案内に従い台詞としてのテキストの内の少なくとも一つの単語を入れ換えた文章、若しくは質問に対する答えとなる少なくとも一つの単語を含む文章を学習者に対し想起させ、前記学習者のパート中に該学習者により前記文章での音声を発生させ、該学習者の発した音声を前記音声変換手段を介して抽出する会話抽出手段と、該会話抽出手段で抽出された前記学習者の音声を所定の基準の下に評価する評価手段と、該評価手段による評価の結果を前記学習者に対して表示する評価表示手段とを備え、前記単語が予め用意された質問毎に前記学習者により入力され固有情報保存部に保存された情報を含み、前記訓練教材が前記質問に対応して予め用意され保存された文章を含む教材であり、該教材の前記質問に対応する部分が前記学習者毎に保存された前記単語を含む形で前記学習者に対し提供され、前記評価手段による評価は、前記学習者に対し提供された前記固有情報保存部に保存された情報を含む教材を正解のテキストとして、前記会話抽出手段で抽出された音声から変換されたテキストとの間で行われたテキスト同士の対比に基づき判断される、若しくは、前記正解のテキストを音声に変換し、前記会話抽出手段で抽出された音声との間で行われた音声同士の対比に基づき判断される学習者の話した文章の正誤、発音、抑揚、会話のスピード、これらの総合評価のいずれか少なくとも一つに基づくことを特徴とする。
【００１１】
講師のパートでは学習者に対し入れ換えさせる単語を提示したり、学習者に対しその単語を想起させる。この場合に台詞は表示しない。学習者のパートでは、学習者はこの入れ換え単語を含んだ文章を話す。学習者の発した音声は音声変換手段を介して抽出される。
このことにより、学習者は基本となる文章を確実に覚えることができる。また、応用範囲も広がる。このため、外国語の会話力を向上させることができる。
学習者固有のテキストを会話文に用いることでより一層実践的な会話を確実に習得できる。
学習者の音声を所定の基準の下に評価し表示をする。このことにより、学習者にとって間違えや弱点、問題点が分かり易くなる。従って、学習者の矯正を促しながら、これを繰り返しおこなうことができる。
【００１２】
また、本発明（請求項２）は、映像、音声、テキストのいずれか少なくとも一つにより外国語の会話を訓練する外国語の会話訓練システムであって、映像、音声、テキストのいずれか少なくとも一つによる練習テーマを含み講師のパートと学習者のパートとに分けて予め作成された外国語の訓練教材と、該訓練教材を講師のパートと学習者のパートを繰り返すことで再生する再生手段と、前記学習者のパートにおいて学習者の発した音声を電気信号に変換する音声変換手段と、前記再生手段で再生された台詞の一部又はすべてをテキストとして表示する台詞テキスト表示手段と、前記講師のパートでの案内に従い台詞としてのテキストの内の少なくとも一つの単語を入れ換えた文章、若しくは質問に対する答えとなる少なくとも一つの単語を含む文章を学習者に対し想起させ、前記学習者のパート中に該学習者により前記文章での音声を発生させ、該学習者の発した音声を前記音声変換手段を介して抽出する会話抽出手段と、該会話抽出手段で抽出された前記学習者の音声を所定の基準の下に評価する評価手段と、該評価手段による評価の結果を前記学習者に対して表示する評価表示手段とを備え、前記単語が予め用意された質問毎に前記学習者により入力され固有情報保存部に保存された情報を含み、前記訓練教材が前記質問に対応して予め用意され保存された文章を含む教材であり、該教材の前記質問に対応する部分が前記学習者毎に保存された前記単語を含む形で前記学習者に対し提供され、前記評価手段による評価は、前記学習者に対し提供された前記固有情報保存部に保存された情報を含む教材を正解のテキストとして、前記会話抽出手段で抽出された音声から変換されたテキストとの間で行われたテキスト同士の対比に基づき判断される、若しくは、前記正解のテキストを音声に変換し、前記会話抽出手段で抽出された音声との間で行われた音声同士の対比に基づき判断される学習者の話した文章の正誤、発音、抑揚、会話のスピード、これらの総合評価のいずれか少なくとも一つに基づくことを特徴とする。
【００１３】
請求項１とは異なり、台詞の一部又はすべてをテキストとして表示する。そして、この台詞テキストの内の少なくとも一つの単語を入れ換えた文章を学習者に対し想起させる。学習者の発した音声は音声変換手段を介して抽出される。
【００１４】
このことにより、学習初心者であっても学習者は基本となる文章を確実に覚えることができる。
【００２２】
更に、本発明（請求項３）は、前記評価表示手段は前記評価した結果をレーダーチャートで画面表示することを特徴とする。
【００２３】
レーダーチャートで画面表示するので視覚的に自分の欠点を把握できる。
【００２４】
更に、本発明（請求項４）は、前記評価を練習テーマ毎に履歴として蓄積する蓄積手段と、該蓄積手段で蓄積された練習テーマの内から評価を所定の基準の下に判断することで少なくとも一つの練習テーマを抽出する抽出手段と、該抽出手段で抽出された練習テーマを表示する表示手段と、該表示手段で表示された練習テーマの内から前記学習者が選択できることを特徴とする。
【００２５】
評価を練習テーマ毎に履歴として蓄積し、学習者は例えば成績の悪かったテーマを再び選択することが可能である。このため、外国語の会話力をより一層向上させることができる。
【発明の効果】
【００２６】
以上説明したように本発明（請求項１）によれば、講師のパートでの案内に従い台詞としてのテキストの内の少なくとも一つの単語を入れ換えた文章を学習者に対し想起させ、前記学習者のパート中に該学習者により前記文章での音声を発生させるように構成したので、学習者は基本となる文章を確実に覚えることができる。また、応用範囲も広がる。このため、外国語の会話力を向上させることができる。
【図面の簡単な説明】
【００２７】
【図１】本発明の実施形態である外国語の会話訓練システムの全体構成図
【図２】概念フローチャート（全体）
【図３】タイプＡの会話プラクティスを示すフローチャート
【図４】タイプＢの入れ換えプラクティスを示すフローチャート（その１）
【図５】タイプＢの入れ換えプラクティスを示すフローチャート（その２）
【図６】タイプＣのマイ・プラクティスを示すフローチャート
【図７】外国語の会話訓練システムの画面遷移図（その１）
【図８】外国語の会話訓練システムの画面遷移図（その２）
【図９】外国語の会話訓練システムの画面遷移図（その３）
【図１０】外国語の会話訓練システムの画面遷移図（その４）
【図１１】外国語の会話訓練システムの画面遷移図（その５）
【図１２】外国語の会話訓練システムの画面遷移図（その６）
【図１３】外国語の会話訓練システムの画面遷移図（その７）
【発明を実施するための形態】
【００２８】
以下、本発明の実施形態について説明する。本発明の実施形態である外国語の会話訓練システムの全体構成図を図１に示す。図１において、インターネット１には外国語の会話訓練システムを管理する管理部３と、訓練教材を蓄積しているデータ保存部５と、インターフェース７を介してデータをローカルとの間で送受信するデータ送受信部９を備えるセンターサーバー１０が接続されている。そして、このセンターサーバー１０はインターネット１を介して少なくとも１台の情報端末装置２０と接続されている。情報端末装置２０にはセンターサーバー１０よりコンテンツである訓練教材がダウンロードされるようになっている。
【００２９】
インターフェース２１を介してデータ送受信部９によりダウンロードされたデータは情報端末装置２０の教材保存部２５に保存されるようになっている。この情報端末装置２０にはマイク２７が内蔵若しくは接続され、このマイク２７で拾われた音声が情報端末装置２０内の音声抽出部２９でディジタル信号変換されるようになっている。音声抽出部２９で抽出された音声は音声解析部３１で台詞としてのテキスト化がされるようになっている。但し、この音声解析部３１は台詞としてのテキストが教材保存部２５より入力されることで音声に変換される構造であってもよい。
【００３０】
教材保存部２５に保存されている教材データは再生部３３で再生され表示部３５で表示されるようになっている。評価部３７では音声抽出部２９で抽出された音声若しくは音声解析部３１で変換されたテキストが教材保存部２５に予め保存されている音声データ若しくはテキストとどの程度一致しているか、あるいは相違しているかが判断されるようになっている。
【００３１】
このように教材保存部２５には模範となる音声データが保存されてもよいが、評価の都度模範となるテキストより音声変換がされた形で対比するようにしてもよい。
演算部３９では本会話訓練システムの動作に必要な様々な演算がされるようになっている。また、学習者がキーボード４１をキー操作することで学習者の固有の情報が固有情報保存部４３に保存されるようになっている。
【００３２】
情報端末装置２０としては、ウェアラブルコンピュータ（メガネ型など）、スマートフォン、タブレット型コンピュータ、PDA、ゲーム機、電子辞書、ナビゲーション端末、パーソナルコンピュータ、デジタルテレビなど、インターネットに接続可能な情報端末装置であればよい。
【００３３】
訓練教材は、例えば、設定された会話シーンの会話のやり取りの動作画像と会話音声と台詞（テキスト）である。また、その会話における非学習者（会話相手）のみの動作画像と会話音声と台詞（テキスト）であってもよい。更には、学習者に対して投げかけられる基本文章の音声、台詞（テキスト）と、それに関連した動画、静止画（写真）、絵、図柄、グラフなどであってもよい。
【００３４】
次に、本発明の実施形態である外国語の会話訓練システムによる訓練方法を概念フローチャート及び画面遷移図に基づき説明する。
本外国語の会話訓練システムは、情報端末装置２０において、複数の異なった会話練習タイプ（プラクティスタイプ）から使用者に選択させる。そして、情報端末装置２０の表示画面に対話場面や講師のしゃべっている場面の音声入りの画像を表示する。
【００３５】
学習者は指定された人のパートを講師と対話形式でしゃべったり、示された文章をリピートしたり、講師の指示に従って文章を自分で考えて声に出して言ったり、教材の指示に従って自分自身の情報を入力して、その文章を声に出して言ったりした後、それぞれの内容が多角的、総合的に評価され、間違えあるいは弱点、問題点が学習者へ伝えられることによって学習者の矯正を促しながら、これを繰り返しおこなう仕組みにした会話訓練システムである。
【００３６】
また、情報端末装置２０にはメガネタイプのウェアラブルコンピュータを使用することによって、使用者の視点から見た対話場面に似た状況を作り出せることから臨場感が増したり、講師と向き合っての現実の会話と同様のシチュエーションを作り出したりすることが、会話力の向上に好影響をもたらすものである。
【００３７】
図２の概念フローチャートにおいて、ステップ１（図中Ｓ１と略す。以下同様）では、アプリケーションソフトをあらかじめインストールしておいた情報端末装置２０で起動する。
アプリケーションソフトが起動するとステップ２に示すようにメニューが表示される。画面構成としては図７の画面１（図中Ｐ１と略す。以下同様）が表示される。学習者は３つの項目の中から希望するものを指定する。３つの項目の内、一つ目は「新しいテーマでプラクティス」、二つ目は「推薦テーマでプラクティス 」、三つ目は「プラクティス履歴を閲覧」である。
【００３８】
一つ目の「新しいテーマでプラクティス」は、本会話訓練システムの提供側があらかじめ作成しておいた訓練教材のテーマ一覧がステップ３で表示され、その中からステップ４で学習者はプラクティス（練習）したいテーマを選択する。このテーマは例えば、画面３に示すように「初対面の会話」、「自己紹介」、「道を尋ねる」等である。
【００３９】
二つ目の「推薦テーマでプラクティス 」は、学習者が過去にプラクティスした中からさらなるプラクティスが必要なテーマの一覧がステップ５で表示されるものである。このテーマは例えば、画面５に示すように「買い物をする」、「食事をする」等と項目表示され、提供側があらかじめ推薦をしたものである。その中からステップ６で学習者はプラクティスしたいテーマを選択する。
【００４０】
三つ目の「プラクティス履歴を閲覧」は、画面７に示すように「買い物をする」、「食事をする」等と項目表示される。処理フローとしては、ステップ７でプラクティス履歴を学習者が過去にプラクティスした履歴およびそれらの成績に基づき自動抽出して表示される。各項目は成績と共に表示されてもよい。また、学習者はプラクティスしたいテーマをこの表示された項目の中から選択できるようにしてもよい。
【００４１】
各画面において、学習者は内容を閲覧したらメインメニュー（各画面においてＭＭと略記載）に戻ることができる。
ステップ２での選択が行われるとステップ８でセンターサーバー１０から選択された訓練教材がダウンロードされ、情報端末装置２０に読込まれる。但し、ＤＶＤ等の記憶媒体から選択されたテーマのプラクティス教材を情報端末装置２０に直接読込むようにしてもよい。
【００４２】
本発明の外国語の会話訓練システムでは、ステップ９に示す通り、タイプ Ａ、タイプ Ｂ、タイプ Ｃの３つのタイプのプラクティスが設定されている。そして、学習者はその中から希望するプラクティスを選択するようになっている。画面９に示すようにタイプＡは会話プラクティスである。この会話プラクティスは、あらかじめ作成しておいた会話演習を画面上の画像、音声、台詞のテキストで学習者に見せ、その後に講師と学習者との掛け合いスタイルで行なうものである。
【００４３】
また、タイプＢは入れ換えプラクティスである。この入れ換えプラクティスは、あらかじめ作成しておいた基本文章を画面上の画像、音声、台詞のテキストで講師が学習者に見せ、それに続いて学習者がリピートする。その後、基本文章の一部の入れ換え語句が講師によって与えられ、学習者は入れ換えて語句を使って正しい文章を作成して音声で返答することを繰り返すスタイルで行なうものである。 入れ換え語句は例えば、主語、動詞、目的語等であり少なくとも一つの単語である。
【００４４】
更に、タイプＣはマイ・プラクティスである。このマイ・プラクティスは、あらかじめ作成しておいた会話演習および基本文章に関して、学習者自身の固有の情報をキーボード４１等から入力し固有情報保存部４３に保存した上で、この固有の情報を用いて講師と会話のやり取りや基本文章の語句の入れ換えを行なうものである。
【００４５】
なお、各プラクティスは必ずしも画像、音声、台詞のテキストのすべてが揃って必要という訳ではなく、この内のいずれか少なくとも一つであっても構成可能である。
【００４６】
まず、タイプＡの会話プラクティスについてその実行方法を説明する。
タイプＡの会話プラクティスでは、図３のステップ１０でこの会話プラクティスが実行され、ステップ１１で手本会話の紹介が行われる。この紹介は、当該システムの提供側があらかじめ作成しておいた会話演習を画面上の画像、音声、台詞のテキストで学習者に見せることで行われる。
【００４７】
具体的には、図７の画面１１で会話の再生が開始され、画面１３で学習者は手本となる会話を画面と音声とで試聴して覚える。画面は実際の人が演じてもよいし、漫画として作成されてもよい。もし学習者が充分に理解できないことなどによってもう一度視聴したい場合には、ステップ１３（図８の画面１５に相当する）に示すようにもう一度ボタンを押すことで再度視聴ができるようになっている。
【００４８】
一通り試聴が完了したら図３のステップ１３（図８の画面１５に相当する）において学習者は「次へ」ボタンを押す。 そして、続いてステップ１４（画面１７に相当する）でプラクティス画面の表示選択を行う。これは、学習者が当該会話プラクティスを行なう上で、講師と学習者のそれぞれの台詞を画面上にテキストで表示するか、表示しないかを学習者が選択するものである。
【００４９】
まず、台詞が画面上にテキストで表示されるモードを選択した場合について説明する。この場合、ステップ１５（画面１９に相当する）で会話プラクティスを開始する。ここから講師と学習者との掛け合いスタイルでプラクティスが行なわれる。画面２１は講師のパートで、講師は映像と音声によって学習者に語りかける。講師と学習者の台詞のテキストは画面下部にテロップとして表示される。
【００５０】
ステップ１６（画面２３に相当する）は学習者のパートであり、学習者が講師に対して返答をする。即ち、講師からの語りかけに反応して、学習者は自分のパートの台詞で返答する。返答した音声はマイク２７で抽出される。講師のパートと学習者のパートを繰り返す。このように、講師とのやり取りの繰り返しによって会話を進める。もし学習者が充分に理解できないことなどによってもう一度視聴したい場合には、画面２５に示すようにもう一度ボタンを押すことで再度視聴ができる。
【００５１】
ステップ１７では、学習者の返答を評価し採点する。会話における学習者の返答は返答内容の正誤、発音、抑揚、反応時間、総合評価の５つの点からそれぞれ一定の基準で評価され、採点（スコア化）される。返答内容の正誤は例えば以下のように判断される。即ち、返答された音声を音声解析部３１でテキストに変換した後、予め教材保存部２５に保存されている正解のテキストとテキスト同士を対比することでその一致度を評価部３７で算出し正誤を判断する。
【００５２】
但し、学習者により返答された音声は予め教材保存部２５に保存されている正解のテキストを音声解析部３１で音声変換した形で評価部３７に入力し音声同士で対比するようにしてもよい。この場合には、その音声同士の一致度がどの程度かにより正誤が判断される。この際には予め設定したしきい値との間で一致度を比較することで正誤を判断する。
【００５３】
発音、抑揚、反応時間については音声抽出部２９で抽出した学習者の音声を音声解析部３１で音声分析することで行う。この音声分析は既に普及し使用されている公知の音声認識技術を利用することで可能である。音声分析は例えば周波数パターンをもって分析がされる。
【００５４】
総合評価は、例えば、返答内容の正誤、発音、抑揚、反応時間のそれぞれの項目を１００点満点で評価したものを要素Ａ、要素Ｂ、要素Ｃ、要素Ｄとする。これに対しそれぞれの要素の重み付けをａ、ｂ、ｃ、ｄとして総合評価Ｔ（％）は数１のように演算部３９で算出する。重み付けａ、ｂ、ｃ、ｄは例えば１である。
（数１）
Ｔ＝（ａ×要素Ａ＋ｂ×要素Ｂ＋ｃ×要素Ｃ＋ｄ×要素Ｄ）×１００／（ａ＋ｂ＋ｃ＋ｄ）
【００５５】
図３のステップ１８（図９の画面２７に相当する）では、評価し採点された結果を例えば五角形のレーダーチャートで画面表示する。なお、このレーダーチャートは改めて画面２７のように示すのではなく、画面２３において画面の側部にリアルタイムに表示されてもよい。このレーダーチャートによって学習者は自分の改善点を確認してプラクティスを続けることができるようになる。
【００５６】
ステップ１９（図９の画面２９に相当する）では、学習者はプラクティスを終了することができる。また、プラクティスを続行する場合、学習者はステップ１１の「手本会話の紹介」に戻って講師による会話の全体を再び視聴してからプラクティスを再開するか、ステップ１４の「プラクティス画面の表示選択」に戻って台詞のテキスト表示をするようにするか、逆にしないようにするかを再び選択してからプラクティスを再開するかを選ぶことができる。
【００５７】
評価し採点された結果はプラクティスデータとして各テーマ毎にまとめられて図２のステップ５１に示すようにセンターサーバー１０に送られ、ステップ５２で管理部３においてプラクティスの履歴が取られるようになっている。このプラクティスの履歴を元にステップ５３では学習者に対してプラクティステーマを推薦したり、この履歴を学習者に対して開示する。プラクティステーマの推薦は、例えば成績の悪かったテーマを抽出する等で実施する。
【００５８】
また、複数の学習者についてこの履歴の統計をとることで、複数の学習者に共通して困難な会話テーマを見つけることができる。また、複数の学習者にとって興味を引き易い利用の多い会話テーマを見つけたりすることもできる。これらの情報を元に新しい教材を学習者に合わせた形で効率的に開発することができる。
【００５９】
但し、センターサーバー１０は必ずしも必須のものではなく、情報端末装置２０のみの構成であっても本実施形態である外国語の会話訓練システムは実現可能である。
【００６０】
次に台詞が画面上にテキストで表示されるモードを選択しなかった場合について説明する。図８の画面１７において台詞のテキスト表示をしないモードが選択されたとき、図８の画面３１〜図９の画面４１に示すようにテロップにおけるテキストの表示がされない。このため、より上級者レベルとして利用が可能である。処理の流れとしては、画面１９〜画面２９の各画面が画面３１〜画面４１の各画面にそれぞれ対応しているので説明は省略する。
【００６１】
次に、タイプＢの入れ換えプラクティスについてその実行方法を説明する。
図４のステップ２１（図９の画面４３に相当する）でこの入れ換えプラクティスが実行される。まず、学習者は図４のステップ２３〜ステップ２４（図９の画面４５〜図１０の画面４９に相当する）で講師パートと学習者パートを含む手本となる会話動画を１度若しくは繰り返し試聴する。
【００６２】
一通り試聴が完了したらステップ２４（図１０の画面４９に相当する）において学習者は「次へ」ボタンを押す。 そして、続いてステップ２５（画面５１に相当する）でプラクティス画面の表示選択を行う。これは、学習者が当該会話プラクティスを行なう上で、講師と学習者のそれぞれの台詞が画面上にテキストで表示するか、表示しないかを学習者が選択するものである。
【００６３】
まず、台詞が画面上にテキストで表示されるモードを選択した場合について説明する。この場合、図４のステップ２６（図１０の画面５３に相当する）で会話プラクティスを開始する。画面５５は講師のパートで、講師は映像と音声によって学習者に語りかける。講師の台詞のテキストは画面下部にテロップとして表示される。
【００６４】
ステップ２７（画面５７に相当する）で学習者は講師の言った台詞（例えば、Ｉ  ｗｅｎｔ  ｔｏ  ｔｈｅ  ｈｏｓｐｉｔａｌ  ｙｅｓｔｅｒｄａｙ）をリピートする。リピートした音声はマイク２７で抽出される。もし学習者が充分に理解できないことなどによってもう一度視聴したい場合には、図１１の画面５９に示すようにもう一度ボタンを押すことで再度視聴ができる。
【００６５】
図４のステップ２８では学習者の返答を評価し採点し、ステップ２９（図１１の画面６１に相当する）でその結果をレーダーチャートで画面表示する。続いて、図５のステップ３０（図１１の画面６３に相当する）で講師が例えばｙｅｓｔｅｒｄａｙに代えて入れ換え語句であるｔｏｍｏｒｒｏｗを音声で案内する。テロップにもこのテキストを表示する。
【００６６】
ステップ３１（画面６５に相当する）は学習者のパートであり、学習者がこの語句を入れ換えた文章をもって返答をする。この返答をした音声はマイク２７で抽出される。入れ換え語句を提供する講師の案内の方法はこの音声で案内する以外に、テキストを直接見せたり、学習者に対して絵（例えばリンゴの図）を示してその絵に関する語句（ａｐｐｌｅ）を学習者に想起させる等で実施してもよい。
【００６７】
ステップ３２では学習者の返答を評価し採点し、ステップ３３（画面６７に相当する）でその結果をレーダーチャートで画面表示する。
図５のステップ３４（図１１の画面６９に相当する）では、学習者はプラクティスを終了することができる。また、プラクティスを続行する場合、学習者はステップ２３の「講師が基本文章の紹介」に戻って講師による会話を再び視聴してからプラクティスを再開するか、ステップ２５の「プラクティス画面の表示選択」に戻って台詞のテキスト表示をするようにするか、逆にしないようにするかを再び選択してからプラクティスを再開するかを選ぶことができる。
評価し採点された結果はプラクティスデータとして各テーマ毎にまとめられてセンターサーバー１０に送られ管理部３で履歴が取られるようになっている。
【００６８】
次に図４のステップ２５（図１０の画面５１に相当する）で台詞が画面上にテキストで表示されるモードを選択しなかった場合について説明する。
図１０の画面５１において台詞のテキスト表示をしないモードが選択されたとき、図１０の画面７１〜図１１の画面８７に示すようにテロップにおけるテキストの表示がされない。このため、より上級者レベルとして利用が可能である。処理の流れとしては、画面５３〜画面６９の各画面が画面７１〜画面８７の各画面にそれぞれ対応しているので説明は省略する。
【００６９】
次に、タイプＣのマイ・プラクティスについてその実行方法を説明する。
図６のステップ３５（図１２の画面８９に相当する）でこの入れ換えプラクティスが実行される。まず、学習者はステップ３６（画面９１と画面９３に相当する）でキーボード４１等のテキスト入力装置により質疑応答形式でテキストを入力する。このテキストの入力は音声入力によってもよい。
【００７０】
このテキストは例えば、この学習者個人に関する固有の情報である。画面９１と画面９３に示すように、質問のＹｏｕｒ  ｐｌａｃｅ  ｏｆ  ｂｉｒｔｈ？に対し、学習者はＴｏｋｙｏ  を入力している。但し、必ずしも学習者個人に関する情報に限るものではない。また、質疑応答による入力でなくてもよい。入力されたデータは固有情報保存部４３に保存される。
【００７１】
続いて図６のステップ３７（図１２の画面９５に相当する）でプラクティス画面の表示選択を行う。これは、学習者が当該会話プラクティスを行なう上で、講師と学習者のそれぞれの台詞が画面上にテキストで表示するか、表示しないかを学習者が選択するものである。
【００７２】
まず、台詞が画面上にテキストで表示されるモードを選択した場合について説明する。この場合、図６のステップ３８（図１３の画面９７に相当する）で会話プラクティスを開始する。画面９９は講師のパートで、講師は映像と音声によって学習者に語りかける。講師の台詞のテキストは画面下部にテロップとして表示される。
【００７３】
ステップ３９（画面１０１に相当する）で学習者は講師の言った質問の台詞（例えば、Ｗｈｅｒｅ  ｗｅｒｅ  ｙｏｕ  ｂｏｒｎ？  ）に対して返答をする。返答の音声は例えばＩ  ｗａｓ  ｂｏｒｎ  ｉｎ  Ｔｏｋｙｏ  であり、Ｔｏｋｙｏの部分がこの学習者の固有の情報部分である。ここで返答した音声はマイク２７で抽出される。Ｔｏｋｙｏのテキストは予め固有情報保存部４３に保存されているので、上記と同様に音声／テキスト変換がされた後に正誤の対比等が可能である。
【００７４】
ステップ４０では学習者の返答を評価し採点し、ステップ４１（画面１０３に相当する）でその結果をレーダーチャートで画面表示する。
ステップ４２（画面１０５に相当する）では、学習者はプラクティスを終了することができる。
【００７５】
また、プラクティスを続行する場合、学習者はステップ３８の「講師の会話の部」に戻って講師による会話を再び視聴してからプラクティスを再開するか、ステップ３７の「プラクティス画面の表示選択」に戻って台詞のテキスト表示をするようにするか、逆にしないようにするかを再び選択してからプラクティスを再開するかを選ぶことができる。
評価し採点された結果はプラクティスデータとして各テーマ毎にまとめられてセンターサーバー１０に送られ管理部３で履歴が取られるようになっている。
【００７６】
次に図６のステップ３７（図１２の画面９５に相当する）で台詞が画面上にテキストで表示されるモードを選択しなかった場合について説明する。画面９５において台詞のテキスト表示をしないモードが選択されたとき、図１３の画面１０７〜図１３の画面１１５に示すようにテロップにおけるテキストの表示がされない。
【００７７】
このため、より上級者レベルとして利用が可能である。処理の流れとしては、画面９７〜画面１０５の各画面が画面１０７〜画面１１５の各画面にそれぞれ対応しているので説明は省略する。
なお、情報端末装置２０として図７の画面１２０に示すようにウェアラブルコンピュータ（メガネ型など）を利用した場合には、人と会話をしているように練習ができる。
【符号の説明】
【００７８】
１ インターネット
３ 管理部
５ データ保存部
７、２１ インターフェース
９、２３ データ送受信部
１０  センターサーバー
２０ 情報端末装置
２５ 教材保存部
２７ マイク
２９ 音声抽出部
３１ 音声解析部
３３ 再生部
３５ 表示部
３７ 評価部
３９ 演算部
４１ キーボード
４３ 固有情報保存部
【図１】
0006656529.tif 000002
【図２】
0006656529.tif 000003
【図３】
0006656529.tif 000004
【図４】
0006656529.tif 000005
【図５】
0006656529.tif 000006
【図６】
0006656529.tif 000007
【図７】
0006656529.tif 000008
【図８】
0006656529.tif 000009
【図９】
0006656529.tif 000010
【図１０】
0006656529.tif 000011
【図１１】
0006656529.tif 000012
【図１２】
0006656529.tif 000013
【図１３】
0006656529.tif 000014